(57)【要約】【課題】顔面及び頭部の皮膚を刺激して活性化し、顔のしわ、弛みを取り、毛髪の生育を活性化し、筋肉のこりを解し、関節の痛みを緩和するマッサージ器及び該マッサージ器を備えるマッサージ装置を提供する。【解決手段】複数の鍼体が先端から突出するように保持した透光性の鍼保持体と、針保持体を軸方向に移動可能に収容した収容筒と、収容筒内に設けられ、複数の鍼体が収容筒の先端から突出するように鍼保持体を付勢する弾性体と、収容筒内に設けられ、鍼保持体に対し近赤外線乃至可視光線を発する発光体と、を備えている光鍼マッサージ器を備え、  前記光鍼マッサージ器と、バッテリーを収納するバッテリー保持筒と、バッテリー保持筒の一端を閉鎖するスイッチキャップと、が軸方向に直線状に連結された光鍼マッサージ装置を特徴する。 【選択図】  図４
2017012299.tif 000002
【特許請求の範囲】
【請求項１】
複数の鍼体が先端から突出するように保持した透光性の鍼保持体と、前記針保持体を収容した収容筒と、前記収容筒内に設けられ、前記鍼保持体に対し近赤外線乃至可視光線を放射する発光体と、を備えていることを特徴とする光鍼マッサージ器。
【請求項２】
前記鍼体が、前記収容筒内に軸方向に移動可能に設けられ、前記複数の鍼体が前記収容筒の先端から突出するように前記鍼保持体を付勢する弾性体を更に有することを特徴とする請求項１に記載の光鍼マッサージ器。
【請求項３】
前記複数の鍼体それぞれは、先端が尖らない形状に形成され、前記鍼保持体に先端が同じ高さに揃うように突設されていることを特徴とする請求項１又は２に記載の光鍼マッサージ器。
【請求項４】
鍼体は、鍼の数が３乃至１００本であって、前記鍼保持体に略円形に配列されていることを特徴とする請求項１又は２に記載の光鍼マッサージ器
【請求項５】
鍼体は、鍼の数が１２本であって、前記鍼保持体に等間隔で配列されていることを特徴とする請求項４に記載の光鍼マッサージ器。
【請求項６】
前記鍼保持体は、先端部に前記鍼保持体が前記収容筒から抜け止めされるストッパ部を更に有していることを特徴とする請求項２に記載の光鍼マッサージ器。
【請求項７】
請求項１乃至５の何れか１項に記載のマッサージ器と、バッテリーを収納するバッテリー保持筒と、前記バッテリー保持筒の一端を閉鎖するスイッチキャップと、が軸方向に直線状に連結されたことを特徴とする光鍼マッサージ装置。
【請求項８】
前記バッテリー保持筒は、前記マッサージ器及び前記スイッチキャップが取り付けられる取付部を長さ方向両端部に有し、
前記スイッチキャップは、接点部にバッテリーを押しつけるバッテリー用弾性体と、発光体のオン／オフを切り替えるスイッチボタンと、を更に備えていることを特徴とする請求項７に記載の光鍼マッサージ装置。
【請求項９】
前記マッサージ器に被せられる筒状の保護キャップを更に有していることを特徴とする請求項７に記載の光鍼マッサージ装置。
【請求項１０】
請求項１乃至５の何れか１項に記載のマッサージ器と、収容筒に取り付けられ、前記収容筒の軸方向に往復振動を与える振動手段と、前記マッサージ器を誘導自在に保持する外筒部と、前記振動手段を制御する制御手段と、電力供給手段と、を備えることを特徴とする光鍼マッサージ装置。
【発明の詳細な説明】
【技術分野】
【０００１】
本発明は、光鍼マッサージ器および鍼圧マッサージ装置に係り、より詳しくは、患部を刺激する複数の鍼体と、該患部に光線を放射する発光器と、を備える光鍼マッサージ器および光鍼マッサージ装置に関する。
【背景技術】
【０００２】
動脈の血液は栄養分を運搬し、静脈の血液やリンパ液は老廃物を除去する役割がある。また、頭と顔は一枚の皮でつながっており、頭皮が固くなると血液とリンパ液が停滞し、肌荒れやむくみが起こり、顔のしわやたるみの原因となる。頭皮をほぐすことは、頭皮の血液の循環を良くし、頭髪の生育を良好にすると共に、繋がっている顔の皮膚のリフトアップもしてくれる。
【０００３】
また、筋肉に痛みがあると筋肉を自由に動かすことができないので運動不足になり、運動不足になると筋肉が衰え、例えば歩く時にも些細な段差でつまずいたり転倒したりする確率が高くなり、更に筋肉を傷めるという悪循環が起こる。したがって、筋肉に痛みがある場合は、患部をほぐしながら筋肉の痛みを取る必要がある。
【０００４】
東洋医学には、皮膚を刺激したり、筋肉の痛みをほぐしたりする療法に鍼療法がある。しかし、鍼療法は専門の施術者に実施してもらう必要があること、及び身体に針を刺す恐怖と痛さなどから、敬遠されることも多い。
【０００５】
針を刺さない鍼療法として「梅花鍼」がある。「梅花鍼」は図９に示すように、棒の一端に複数の鍼を束にして取り付け、他端を持って患部を叩くもので、特に円形脱毛症の治療に効果があるとされている。しかし、棒の端を持って患部を的確の叩く技術や、叩く強さの手加減に熟練を要し、痛みが強く場合によっては出血し、その効果も円形脱毛症以外は限定されたものと言われている。
【０００６】
一方、「梅花鍼」の原理を応用して、多数の刺激針が針の先端が揃うように植設された「集毛鍼」及び「集毛鍼」の外周に位置する外筒体を有する刺激体ユニットと、加温手段と、振動手段と、を備える「振動鍼圧マッサージ機」が開示されている（特許文献１を参照）。しかし、「集毛鍼」は効果が緩和であり、振動鍼圧マッサージ機」は効果があるものの管理医療機器に指定され、頭部及び顔面への使用が制限されているという問題点がある。
【０００７】
また、近赤外線乃至可視光線に皮膚を活性化する効果があることが知られ、更に波長幅の狭い赤色光帯域の光線を照射することが、創傷痕の治療、及び育毛に効果があることが知られている（特許文献２を参照）。しかし、その各々の効果は限定されたものであった。
【先行技術文献】
【特許文献】
【０００８】
【特許文献１】実公平７−１９４７２号公報
【特許文献２】特許第５５４０３２４号公報
【発明の概要】
【発明が解決しようとする課題】
【０００９】
かかる現状において、本発明は、梅花鍼の原理と、近赤外線乃至可視光線の照射効果と、を兼備し、皮膚を刺激して活性化し、筋肉の凝りを解し、関節の痛みを緩和することによって、顔のしわや弛みを取り、毛髪の生育を活性化し、筋肉や関節の凝りや痛みを取るマッサージ器および該マッサージ器を備えるマッサージ装置を提供することを課題とする。
【課題を解決するための手段】
【００１０】
かかる課題を解決するための本発明の第１実施形態の係るマッサージ器は、複数の鍼体が先端から突出するように保持した透光性の鍼保持体と、針保持体を収容した収容筒と、収容筒内に設けられ、鍼保持体に対し近赤外線乃至可視光線を放射する発光体と、を備えていることを特徴とする。
【００１１】
前記鍼体は、収容筒内に軸方向に移動可能に設けられ、複数の鍼体が収容筒の先端から突出するように鍼保持体を付勢する弾性体を更に有することを特徴とする。
前記複数の鍼体それぞれは、先端が尖らない形状に形成され、鍼保持体に先端が同じ高さに揃うように突設されていることを特徴とする。
【００１２】
前記鍼体が、収容筒内に軸方向に移動可能に設けられ、複数の鍼体が収容筒の先端から突出するように鍼保持体を付勢する弾性体を更に有することを特徴とする。
前記鍼体は、鍼の数が３至１００本であって、鍼保持体に略円形に配列されていることを特徴とする
【００１３】
前記鍼体は、鍼の数が１２本であって、鍼保持体に等間隔で配列されていることを特徴とする。
前記鍼保持体は、先端部に鍼保持体が収容筒から抜け止めされるストッパ部を更に有していることを特徴とする。
【００１４】
また別の観点にたてば、本発明のマッサージ装置は、請求項１乃至５の何れか１項に記載のマッサージ器と、バッテリーを収納するバッテリー保持筒と、バッテリー保持筒の一端を閉鎖するスイッチキャップと、が軸方向に直線状に連結されたことを特徴とする。
【００１５】
前記バッテリー保持筒は、マッサージ器及びスイッチキャップが取り付けられる取付部を長さ方向両端部に有し、
スイッチキャップは、接点部にバッテリーを押しつけるバッテリー用弾性体と、発光体のオン／オフを切り替えるスイッチボタンと、を更に備えていることを特徴とする。
マッサージ器に被せられる筒状の保護キャップを更に有していることを特徴とする。
【００１６】
更に別の観点にたてば、本発明のマッサージ装置は、請求項１乃至５の何れか１項に記載のマッサージ器と、収容筒に取り付けられ、前記収容筒の軸方向に往復振動を与える振動手段と、前記マッサージ器を誘導自在に保持する外筒部と、前記振動手段を制御する制御手段と、電力供給手段と、を備えることを特徴とする。
【発明の効果】
【００１７】
本発明のマッサージ器は、発光体を点灯させ、複数の鍼体を有する先端を患部に複数回の当接−押圧−離脱を繰り返すことによって、所定の面積を有する鍼保持体に垂設された複数の鍼体が、弾性体に付勢された所定の圧力で患部を刺激すると共に、発光体から放射された赤色光乃至近赤外線が患部の皮膚の深部まで到達して刺激して、患部の血流量を増加させ、体温を上昇させる。
【００１８】
本発明のマッサージ装置を片手で把持し、患部を軽くタップするように叩くことによって患部を刺激し活性化させることができる。これによって顔面及び頭部の皮膚を刺激し活性化して顔のしわや弛みを取り、あるいは毛髪の生育を活性化することができる。
【００１９】
また、本発明の振動手段を備えるマッサージ装置の複数の鍼体を有する先端を患部に当接し、振動させながら患部に当接することによって、近赤外線乃至可視光線の効果、震動、及び複数の鍼体による刺激が協奏して、筋肉のこりを解し、関節の痛みを和らげることができる。
【図面の簡単な説明】
【００２０】
【図１】本発明の第１実施形態に係るマッサージ器の断面図である。
【図２】本発明の第２実施形態に係るマッサージ器の断面図である。
【図３】本発明の実施例１に係るマッサージ装置の斜視図である。
【図４】図３のＡ−Ａに沿った断面図である。
【図５】本発明の実施例２に係るマッサージ装置の断面図である。
【図６】本発明の実施例３に係るマッサージ装置の断面図である。
【図７】本発明のマッサージ器の作用を説明する図である。
【図８】実施例１のマッサージ装置の効果を示すサーモグラフィーの図である。
【図９】東洋医学で用いる鍼の一種である梅花鍼の図である。
【発明を実施するための形態】
【００２１】
以下に、添付図面を参照して本願の光鍼マッサージ器及び光鍼マッサージ器を備える光鍼マッサージ装置を説明する。
なお、以下の説明においては、マッサージ器が円筒形状に構成された例を示して説明するが、本発明の実施形態に係るマッサージ器は、機能部分を収容できるものであれば外側の形状は特に制限されない。また、同一の機能を有する要素には同一の符号を付し、詳細な説明を省略した。
【００２２】
図１は、本発明の第１実施形態に係るマッサージ器の断面図である。
図１に示すように、本実施例のマッサージ器１０は、複数の鍼体１２が先端から突出するように保持した透光性の鍼保持体１４と連結され、針保持体１４を収容する収容筒１６と、収容筒１６内に設けられ、鍼保持体１４に対し赤色光乃至可視光線を放射する発光体２０と、発光体２０を支持するソケット２８と、電力を供給する電源３４と、を備えている。収容筒１６とコンセント２８とは、例えば封止部２６によって封止・固定されることができる。
【００２３】
より具体的に例示すれば、マッサージ器１０は、円筒形の収容筒１６の中心軸Ａ−Ａに沿って設けられた複数の鍼体１２と、中心軸に直交して設けられ、鍼体１２を保持する透光性の鍼保持体１４と、一端に中心軸に直交する開口を有し、鍼体１２が開口から突出するように鍼保持体１４を収容した収容筒１６と、収容筒１６の他端に、コンセント２８を介して封止部２６によって固定され、鍼保持体１４に対し近赤外光線乃至可視光線を放射する発光体２０と、を備えることが好ましい。発光体２０は、電源３４から電力供給手段３５を通じて電力を供給される。
【００２４】
通常、可視光線は、波長が３８０〜７８０ｎｍの光線を指し、近赤外線は、波長が８００〜２５００の光線を指す。本発明で使用する近赤外線乃至可視光線は、３８０〜２５００ｎｍの波長帯の光線が少なくとも７０％以上の光エネルギーを占める光線である。
【００２５】
本発明は、複数の鍼体１２の各々が、施術を受ける患者の皮膚を傷つけないように先端が尖らない形状に形成される。先端の形状は特に限定されないが、例えば丸く形成されることができる。鍼体１２それぞれは、先端が中心軸方向の同じ高さに揃う様に突設されることが好ましい。
【００２６】
鍼体１２の数は、３乃至１００本であることが好ましく、５乃至２０本であることがより好ましい。鍼体１２の数が２本以下であると、各々の鍼体１２に力がかかりすぎて効果が上がらないばかりでなく、皮膚を傷つける恐れがあり、また、鍼体１２の数が１０１本以上の場合は、力が分散しすぎて鍼治療としての効果が上がらないことがある。最も好ましくは、１２本の鍼体が４列に並べられ、各列それぞれが２本、４本、４本、２本の鍼体１２から構成され、鍼保持体１４に等間隔で略円形に配列された例を挙げることができる。
【００２７】
鍼保持体１４は、透光性を有する材料で形成され、収容筒１６の中心軸Ａ−Ａと直交する面を有し、複数の鍼体１２が略全面に突設される。鍼保持体１４の直径は特に制限されないが、０．５ｃｍ乃至３ｃｍの範囲であることができる。鍼保持体１４の直径が０．５ｃｍ未満では鍼体の間隔が短くなりすぎ、３ｃｍを越えると、鍼治療機としての効果を発揮しないことがある。
【００２８】
図２は、本発明の第２実施形態に係るマッサージ器の断面図である。
図２に示すように、第２実施形態のマッサージ器１１０は、複数の鍼体１２が先端から突出するように保持した透光性の鍼保持体１４と、針保持体１４を軸方向に移動可能に収容した収容筒１６と、収容筒１６内に設けられ、複数の鍼体１２が収容筒１６の先端から突出するように鍼保持体１４を付勢する弾性体１８と、収容筒１６内に設けられ、鍼保持体１４に対し近赤外光線乃至可視光線を放射する発光体２０と、を備えていることが好ましい。
【００２９】
より詳細には、マッサージ器１１０は、円筒形の収容筒１６の中心軸Ａ−Ａ方向に沿って設けられた複数の鍼体１２と、中心軸に直交する面を有して鍼体１２を保持する透光性の鍼保持体１４と、一端に中心軸に直交する開口を有し、鍼体１２が前記開口から突出するように鍼保持体１４を軸方向に移動可能に収容した収容筒１６と、収容筒１６の内部に設けられ、複数の鍼体１２が収容筒１６の先端から突出するように鍼保持体１４を付勢する弾性体１８と、収容筒１６の他端側に設けられ、鍼保持体に対し近赤外線乃至可視光線を放射する発光体２０と、を備えている例を例示できる。
【００３０】
上記の光線を放射する発光体２０は、ソケット２８を介し封止部２６によって収容筒１６の他端に固定されることができ、電力供給手段３５を介して電源３４に連結されることができる。また収容筒１６は、先端に針保持体１４が抜け留めされるストッパ部２４を備えることが好ましい。
【００３１】
本発明の第１実施形態に係るマッサージ器１０と、本発明の第２実施形態に係るマッサージ器１１０とは、マッサージ器１０が、鍼保持体１４が収容筒１６に固定されているのに対して、マッサージ器１１０は、鍼保持体１４を付勢する弾性体１８を更に備え、鍼保持体１４が、収容筒１６の中心軸方向に移動自在に設けられ、鍼体１２が収容筒１６の先端から突出するように配備されている点で相違し、その他の点では一致する。
【００３２】
以下に、本発明のマッサージ器１０、１１０を含むマッサージ装置を、実施例を挙げて説明する。
［実施例１］
図３は、本発明の実施例１に係るマッサージ装置の斜視図であり、図４は、図３のＡ−Ａに沿った断面図である。
図３に示すように、実施例１に係るマッサージ装置１は、主要構成部品として、マッサージ器１１０と、バッテリー保持筒３０と、スイッチキャップ４０と、を具備し、更に保護キャップ５０を備えることができる。また、本実施例の変形例として、マッサージ器１１０の代わりにマッサージ器１０を備えることができる。
【００３３】
図４に示すように、本発明の実施例１に係るマッサージ装置１は、マッサージ器１１０と、バッテリー３２を収納するバッテリー保持筒３０と、バッテリー保持筒３０の一端を閉鎖するスイッチキャップ４０と、が収容筒１６の軸Ａ−Ａ上に直線状に連結されて構成される。
【００３４】
バッテリー保持筒３０には、ソケット２８に発光体２０の一方の導線と連結された接点部２２と、バッテリー３２を接点部２２の方向に押しつけるバッテリー用弾性体３８と、を設けることができる。
スイッチキャップ４０は、内部に設けられたスイッチ４８と、スイッチ４８の一方の導線に連結されスイッチ４８をオン／オフさせるスイッチボタン４６と、バッテリー保持筒３０側の外周にネジ山を刻設したネジ部４２と、を有することができる。
【００３５】
マッサージ装置１は、マッサージ器１１０の、他端側の外周にネジ山を刻設して連結部２５を設け、バッテリー保持筒３０の長手方向両端部内周側に設けた取付部３６、３６の一方を収容筒１６の連結部２５に螺合し、他方をスイッチキャップ４０のネジ部４２に螺合して組付けることができる。
このように構成されたマッサージ装置１は、片手で把持して操作することが可能である。
【００３６】
また、本発明のマッサージ装置１は、発光体２０の他方の導線と、スイッチ４８の他方の導線と、を別途の配線で連結するか、または収容筒１６及びバッテリー保持筒３０で構成される外套部を導電性材料で形成し、発光体２０の他方の導線と、スイッチ４８の他方の導線とを外套部に接地することによって電気回路を構成することができる。
【００３７】
［実施例２］
図５は本発明の実施例２に係るマッサージ装置の断面図である。
図５に示すように、実施例２に係るマッサージ装置１０１は、マッサージ器１１０と、一端がマッサージ器１１０の少なくとも一部を覆う外筒部７０と、外筒部７０の他端に被せられた外筒キャップ８０と、を主要構成要素とする。マッサージ器１１０の収容筒１６の外側面と、外筒部７０の内側面の間に、振動手段２１が設けられ、マッサージ器１１０と外筒部７０とが、収容筒１６の中心軸Ａ−Ａの沿った方向に往復振動自在に連結される。
【００３８】
発光体２０及びソケット２８は、外筒部７０と連結されて収容筒１６の内部に取り付けられることが好ましい。また制御基板３３は、外筒部７０と外筒キャップ８０との空間に設けられ、振動手段１７を制御すると共に、電力供給手段３５を介して電源３４に連結されることができる。
【００３９】
本実施例における振動手段２１は、永久磁石を収容筒１６の外側面に取り付け、対向する外筒部７０の内側面に２個の電磁石を直線上に連設し、夫々の電磁石の磁極の向きを制御手段３３によって制御して、収容筒１６と外筒部７０との間に、収容筒１６の軸Ａ−Ａ方向の往復振動を発生させた。
【００４０】
本実施例のマッサージ装置１０１は、鍼体１２が収容筒１６の先端から突出するように鍼保持体１４を付勢する弾性体１８を有するので、複数の鍼体１２が、患部に一定の圧力で刺激を加えることができる。本実施例では、０．５〜３秒周期で収容筒１６を１往復させた。
【００４１】
振動手段１７は、形状、振動数、及びパワーに応じて公知の振動手段から選択することができ、本発明の振動手段は、上記実施例に限定されるものではない。また、供給する震動の振幅、強度、及び振動数を可変に設計することも可能である。
【００４２】
［実施例３］
図６は本発明の実施例３に係るマッサージ装置の断面図である。
図６に示すように、本発明の実施例３に係るマッサージ装置２０１は、マッサージ器１０と、マッサージ器１０の軸方向と直交する底面７４及びマッサージ器１０の鍼体１４が突出する開口部７３を有し、マッサージ器１０を覆うように離隔して設けられた外筒部７０と、底面７４を覆うように設けられた外筒キャップ８０と、を主要構成要素とする。
【００４３】
底面７４の収容筒１６の他端と対向する位置に支持部７２を設け、収容筒１６の外側面と支持部７４の間に振動手段２１を設けて、マッサージ器１０を、収容筒１６の中心軸Ａ−Ａの沿った方向に往復振動自在に連結することができる。
【００４４】
本実施例においては、外筒体７０と外筒キャップ８０とが接合されて卵型に形成され、片手で把持できる形状に形成したが、外筒体７０と外筒キャップ８０の形状は任意に変更することができる。
発光体２０及びソケット２８は、外筒部７０の底面と連結され、収容筒１６の内側から鍼保持体１４に向けて取り付けられることが好ましい。また外筒部７０と外筒キャップ８０との空間には制御基板３３が設けられ、振動手段１７を制御すると共に、電力供給手段３５を介してコンセント２３を介して外部電源に連結することができる。
【００４５】
本実施例において振動手段は、圧電素子を用いた撓み振動器を使用して、マッサージ器１０を毎分３０〜３００回往復運動させた。本実施例のマッサージ装置２０１は、鍼体１２が収容筒１６の先端と直結した鍼保持体１４を有するので、患部に高振動数で強力な刺激を加えることができる。
【００４６】
振動手段１７は、形状、必要とする振動数、及びパワーに応じて、圧電素子、永久磁石とコイルの組み合わせ等、公知の振動手段から選択することができ、本発明の振動手段は、上記実施例に限定されるものではない。また、供給する電力及び振動数を可変に設計することも可能である。
【００４７】
［作用］
本発明のマッサージ器の作用は以下のとおりである。
図７は、本発明のマッサージ器の作用を説明する図である。
図７は、図２のマッサージ器１１０の鍼体１２が、患部６０に押圧されて収容筒１６に収納された状態を示す図である。即ち、マッサージ器１１０の発光体２０を点灯した状態で患部６０の周辺の皮膚６２に当接して加圧すると、鍼体１２が鍼保持体１４を介して弾性体１８を加圧し、弾性体１８が収縮して相対的にマッサージ器１１０の本体が前進し、図７に示すように、収容筒１６が患部６０周辺の皮膚６２に当接して停止する。マッサージ器１１０を皮膚６２から離脱させると、弾性体の付勢力によって鍼体１２と鍼保持体１４が前進して図２の状態に復帰する。
【００４８】
従って、本発明のマッサージ器１１０の発光体を点灯させ、先端を患部６０周辺の皮膚６２をタップするように複数回の当接−押圧−離脱を繰り返すことによって、鍼保持体１４に垂設された鍼体１２が、弾性体１８に付勢された所定の圧力で患部６０を刺激すると共に、発光体２０から放射された近赤外線乃至可視光線が皮膚６２の深部にある患部６０まで到達して患部６０を刺激し、活性化させることができる。
【００４９】
［効果］
〈血流量の増加〉
・試験装置：実施例１のマッサージ装置を点灯して用いた。
・被験者：被験者１（４１歳、男性）、及び被験者２（３１歳、女性）
・使用方法：被験者本人が、右肩を、１分間当たり約６０回の速度で１０分間叩いた。
・測定方法：レーザ−ドップラー式血流計で、治療開始前、終了直後、及び終了２０分後の右肩の表面血流の症例画像及び平均血流量を測定した。
・結果：結果を図８及び表１に示す。
図８は、実施例１のマッサージ装置の効果を示す症例画像である。
図８に示すように、実施例１のマッサージ装置１を使用することによって、皮膚の表面の血流量の上昇が認められた。
表１に示すように、被験者１，２共に、使用後の皮膚表面の血流量の増加が認められ、実施例１のマッサージ装置１に、患部表面の血流量を増加させる効果があることが示された。
【表１】
2017012299.tif 000003
【００５０】
（皮膚表面温度）
・試験装置：実施例１のマッサージ装置を点灯して用いた。
・被験者：被験者１（４１歳、男性）、及び被験者２（３１歳、女性）
・使用方法：被験者本人が、右肩を、１分間当たり６０回の速度で１０分間叩いた。
・測定方法：サーモグラフィー装置でで、治療開始前、終了直後、及び終了２０分後の右肩及び左型の表面血流量の症例画像及び平均血流量を測定した。
・結果：結果を表２に示す。
表２に示すように、被験者１、２共に、使用後の皮膚表面の温度上昇が認められ、実施例１のマッサージ装置１に、患部の表面温度を上昇させる効果があることが示された。
【表２】
2017012299.tif 000004
【００５１】
以上、本発明に関する好ましい実施形態を説明したが、本発明は前記実施形態に限定されず、本発明の属する技術範囲を逸脱しない範囲での全ての変更が含まれる。
【符号の説明】
【００５２】
１      マッサージ装置
１０      マッサージ器
１２      鍼体
１４      鍼保持体
１６      収容筒
１８      弾性体
２０      発光体
２１      振動手段
２２      接点部
２４      ストッパ部
２５      連結部
２６      封止部
２８      ソケット
３０      バッテリー保持筒
３２      バッテリー
３３      制御基板
３４      電源
３５      電力供給手段
３６      取付部
３８      バッテリー用弾性体
４０      スイッチキャップ
４２      ネジ部
４４      バッテリー用弾性体
４６      スイッチボタン
４８      スイッチ
５０      保護キャップ
６０      患部
６２      皮膚
７０      外筒部
７２      支持部
７３      開口部
７４      底面
８０      外筒キャップ
【図１】
2017012299.tif 000005
【図２】
2017012299.tif 000006
【図３】
2017012299.tif 000007
【図４】
2017012299.tif 000008
【図５】
2017012299.tif 000009
【図６】
2017012299.tif 000010
【図７】
2017012299.tif 000011
【図８】
2017012299.tif 000012
【図９】
2017012299.tif 000013
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
皮膚を傷つけないように先端がとがらない形状に形成され、透光性の鍼保持体に先端が同じ高さに揃うように突設されている複数の鍼体と、
前記鍼保持体を軸方向に移動可能に収容した収容筒と、
前記複数の鍼体が前記収容筒の一端から突出するように前記鍼保持体を付勢する弾性体と、
前記収容筒の他端側に設けられ、前記鍼保持体に対し近赤外線乃至可視光線を放射する発光体と、
を有することを特徴とする光鍼マッサージ器。
【請求項２】
鍼体は、鍼の数が３乃至１００本であって、前記鍼保持体に略円形に配列されていることを特徴とする請求項１に記載の光鍼マッサージ器。
【請求項３】
鍼体は、鍼の数が１２本であって、前記鍼保持体に等間隔で配列されていることを特徴とする請求項２に記載の光鍼マッサージ器。
【請求項４】
前記収容筒は、先端部に前記鍼保持体が前記収容筒から抜け止めされるストッパ部を更に有していることを特徴とする請求項１に記載の光鍼マッサージ器。
【請求項５】
請求項１乃至４の何れか１項に記載のマッサージ器と、バッテリーを収納するバッテリー保持筒と、前記バッテリー保持筒の一端を閉鎖するスイッチキャップと、が軸方向に直線状に連結されたことを特徴とする光鍼マッサージ装置。
【請求項６】
前記バッテリー保持筒は、前記マッサージ器及び前記スイッチキャップが取り付けられる取付部を長さ方向両端部に有し、
前記スイッチキャップは、接点部にバッテリーを押しつけるバッテリー用弾性体と、発光体のオン／オフを切り替えるスイッチボタンと、を更に備えていることを特徴とする請求項５に記載の光鍼マッサージ装置。
【請求項７】
前記マッサージ器に被せられる筒状の保護キャップを更に有していることを特徴とする請求項５に記載の光鍼マッサージ装置。
【請求項８】
請求項１乃至４の何れか１項に記載のマッサージ器と、収容筒に取り付けられ、前記収容筒の軸方向に往復振動を与える振動手段と、前記マッサージ器を誘導自在に保持する外筒部と、前記振動手段を制御する制御手段と、電力供給手段と、を備えることを特徴とする光鍼マッサージ装置。
【手続補正２】
【補正対象書類名】明細書
【補正対象項目名】０００９
【補正方法】変更
【補正の内容】
【０００９】
かかる課題を解決するための本発明の第１実施形態の係るマッサージ器は、皮膚を傷つけないように先端が尖らない形状に形成され、透光性の鍼保持体に先端が同じ高さに揃うように突設されている複数の鍼体と、鍼保持体を軸方向に移動可能に収容した収容筒と、複数の鍼体が前記収容筒の一端から突出するように前記鍼保持体を付勢する弾性体と、収容筒の他端側に設けられ、前記鍼保持体に対し近赤外線乃至可視光線を放射する発光体と、を有することを特徴とする。
【手続補正３】
【補正対象書類名】明細書
【補正対象項目名】００１３
【補正方法】変更
【補正の内容】
【００１３】
前記鍼体は、鍼の数が１２本であって、鍼保持体に等間隔で配列されていることを特徴とする。
前記収容筒は、先端部に鍼保持体が収容筒から抜け止めされるストッパ部を更に有していることを特徴とする。
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
透光性を有する材料で形成された鍼保持体と、
皮膚を傷つけないように先端がとがらない形状に形成され、前記鍼保持体に先端が同じ高さに揃うように突設されている複数の鍼体と、
前記鍼保持体を軸方向に移動可能に収容した円筒形の収容筒と、
前記収容筒の内部に配置され、前記複数の鍼体が前記収容筒の一方の先端から突出するまで前進し、前記収容筒が皮膚と当接するまで後退するように前記鍼保持体を付勢する弾性体と、
前記鍼保持体が前記収容筒から抜け止めされるストッパ部と、
前記収容筒の他方側に設けられ、前記鍼保持体に対し近赤外線乃至可視光線を放射する発光体と、
を有することを特徴とする光鍼マッサージ器。
【請求項２】
鍼体は、鍼の数が３乃至１００本であって、前記鍼保持体に略円形に配列されていることを特徴とする請求項１に記載の光鍼マッサージ器。
【請求項３】
鍼体は、鍼の数が１２本であって、前記鍼保持体に等間隔で配列されていることを特徴とする請求項２に記載の光鍼マッサージ器。
【請求項４】
請求項１乃至３の何れか１項に記載のマッサージ器と、バッテリーを収納するバッテリー保持筒と、前記バッテリー保持筒の一端を閉鎖するスイッチキャップと、が軸方向に直線状に連結されたことを特徴とする光鍼マッサージ装置。
【請求項５】
前記バッテリー保持筒は、前記マッサージ器及び前記スイッチキャップが取り付けられる取付部を長さ方向両端部に有し、
前記スイッチキャップは、接点部にバッテリーを押しつけるバッテリー用弾性体と、発光体のオン／オフを切り替えるスイッチボタンと、を更に備えていることを特徴とする請求項４に記載の光鍼マッサージ装置。
【請求項６】
前記マッサージ器に被せられる筒状の保護キャップを更に有していることを特徴とする請求項４に記載の光鍼マッサージ装置。
【請求項７】
請求項１乃至３の何れか１項に記載のマッサージ器と、収容筒に取り付けられ、前記収容筒の軸方向に往復振動を与える振動手段と、前記マッサージ器を誘導自在に保持する外筒部と、前記振動手段を制御する制御手段と、電力供給手段と、を備えることを特徴とする光鍼マッサージ装置。
【手続補正２】
【補正対象書類名】明細書
【補正対象項目名】０００９
【補正方法】変更
【補正の内容】
【０００９】
かかる現状において、本発明は、梅花鍼の原理と、近赤外線乃至可視光線の照射効果と、を兼備し、皮膚を刺激して活性化し、筋肉の凝りを解し、関節の痛みを緩和することによって、顔のしわや弛みを取り、毛髪の生育を活性化し、筋肉や関節の凝りや痛みを取るマッサージ器および該マッサージ器を備えるマッサージ装置を提供することを課題とする。
【手続補正３】
【補正対象書類名】明細書
【補正対象項目名】００１０
【補正方法】変更
【補正の内容】
【００１０】
かかる課題を解決するための本発明の第１実施形態の係るマッサージ器は、透光性を有する材料で形成された鍼保持体と、皮膚を傷つけないように先端がとがらない形状に形成され、鍼保持体に先端が同じ高さに揃うように突設されている複数の鍼体と、
前記鍼保持体を軸方向に移動可能に収容した円筒形の収容筒と、収容筒の内部に配置され、複数の鍼体が前記収容筒の一方の先端から突出するまで前進し、収容筒が皮膚と当接するまで後退するように鍼保持体を付勢する弾性体と、鍼保持体が前記収容筒から抜け止めされるストッパ部と、収容筒の他方側に設けられ、鍼保持体に対し近赤外線乃至可視光線を放射する発光体と、を有することを特徴とする。